(57)【要約】【課題】挾持部及び柱形突起の耐熱性を犠牲にすることなく、また、滑性シート及び潤滑剤を用いることなく光学シートの微振動、熱膨張による該光学シートの擦れ、及び擦れによる軋み音の発生を抑制することができるクリップ及び光源装置を提供する。【解決手段】ランプ２を挾持する挾持部３２及び該挾持部３２と離隔した位置に挾持部３２と一体に成形されている柱形突起３３とを一面に設け、前記ランプ２が支持される支持部材１に取付けるべき取付部３５を他面に設け、柱形突起３３の先端部に外嵌され、且つ該柱形突起３３よりも軟質のキャップ３４を設け、該キャップ３４及び柱形突起３３の一方に係止凸部３６を設け、該係止凸部３６と係合する係止凹部３７を他方に設け、キャップ３４の抜出しを阻止するようにした。【選択図】図６
2009104999.tif 000002
【特許請求の範囲】
【請求項１】
ランプを挾持する挾持部及び該挾持部と離隔した位置に前記挾持部と一体に成形されている柱形突起を備えるクリップにおいて、前記柱形突起の先端部を被覆し、且つ該柱形突起よりも軟質の被覆層を有することを特徴とするクリップ。
【請求項２】
前記被覆層は透光性を有する合成樹脂材料により成形されている請求項１記載のクリップ。
【請求項３】
前記被覆層は、前記柱形突起に外嵌されているキャップであり、該キャップ及び前記柱形突起の少なくとも一方は、前記キャップの抜出しを阻止する抜止手段を有する請求項１又は２記載のクリップ。
【請求項４】
前記抜止手段は、前記キャップの内面及び柱形突起の長手方向中途の一方に形成されている係止凹部、及び該係止凹部と係合し、他方に形成されている係止凸部である請求項３記載のクリップ。
【請求項５】
前記抜止手段は、前記柱形突起の長手方向に対して傾斜し、該柱形突起及び前記キャップの一方に形成されている傾斜溝、及び該傾斜溝と係合し、前記柱形突起及びキャップの他方に形成されている係止凸部である請求項３記載のクリップ。
【請求項６】
並置される複数本のランプと、請求項１から５のいずれか一つに記載のクリップと、前記ランプ及びクリップが支持される支持部材とを備えることを特徴とする光源装置。
【発明の詳細な説明】
【技術分野】
【０００１】
本発明はランプを挾持するクリップ及び液晶表示装置等の表示装置の光源として使用される光源装置に関する。
【背景技術】
【０００２】
テレビジョン等の表示装置は、画像を表示する表示面を前側に有する表示部の後側に光源装置が配されている。
【０００３】
光源装置は、後壁に複数の係止孔を有し、前側が開放されている筐体と、該筐体内に等間隔で上下に並置される杆状の複数本のランプと、該ランプの両端部を前記後壁に保持するホルダと、前記ランプの中間部を前記後壁に保持する複数のクリップとを備える（例えば、特許文献１参照）。
【０００４】
クリップは、前記後壁の係止孔に挿嵌することにより係止される二つの係止部及び隣合う２本の前記ランプの中間部が挿嵌される二つの挾持部を有し、隣合う２本のランプの中間部を一つのクリップが前記後壁に保持するように構成されている。
【０００５】
また、テレビジョン等の表示装置の表示部は、表示パネルの後側に、光源装置のランプが発生した光を拡散して表示パネルに照射するための拡散板等の光学シートが設けられている。この光学シートは、表示装置の大形化に伴って撓みが発生し易いため、光学シートに撓みが発生した場合においても該光学シートと前記ランプとの間の距離を均等に保つべく前記光学シートの撓み量を制限する柱形突起が前記クリップと一体に設けられている（例えば、特許文献１参照）。
【０００６】
ところで、テレビジョン等の表示装置は比較的高い音量等により光学シートが微振動することがあり、該光学シートの微振動により光学シートの一部が前記柱形突起の先端に接触することがある。また、前記ランプが発生する熱等により光学シートが熱膨張することがあり、該光学シートの熱膨張により光学シートの一部が前記柱形突起の先端に接触することがある。しかし、前記ランプを挾持するクリップの挾持部はランプが発生する熱が直接伝わり、該挾持部が比較的高温になるため、挾持部を有するクリップは比較的硬質の合成樹脂材料により形成されている。従って、挾持部と一体に設けられる柱形突起も比較的硬質であるため、光学シートの微振動により該光学シートの一部が柱形突起の先端に接触した際、光学シートの接触部が擦れて削られ、輝度ムラの原因になるし、また、光学シートの熱膨張により該光学シートの一部が柱形突起の先端に接触した際、光学シートのシート面に沿う方向へ擦れ、軋み音が発生することになる。
【０００７】
光学シートの振動により該光学シートがクリップの柱形突起に接触した際の摩擦抵抗を低減する手段として、クリップの挾持部と一体に可撓部を設け、該可撓部と一体に前記柱形突起を成形することにより、光学シートの振動を可撓部が緩衝するように構成されたものが提案されている（例えば、特許文献２参照）。
【０００８】
また、光学シートの熱膨張により該光学シートがクリップの柱形突起に接触した際の音鳴りを抑制する手段として、光学シートと柱形突起との間に滑性シートを設けるか、又は光学シートと柱形突起との間にシリコンオイル等の潤滑剤を塗布するように構成されたものが提案されている（例えば、特許文献２参照）。
【特許文献１】特開２００４−３２７４４９号公報
【特許文献２】特開２００７−１２８８８７号公報
【特許文献３】特開２００５−１０６８５８号公報
【発明の開示】
【発明が解決しようとする課題】
【０００９】
ところが、クリップは上述したように耐熱性を考慮して比較的硬質の合成樹脂材料により形成されているため、特許文献２のようにクリップが可撓部を有する構成にあっては、クリップの挾持部及び柱形突起を硬質の合成樹脂材料で形成することができず、挾持部及び柱形突起の耐熱性を高くすることに支障を来すという問題がある。
【００１０】
また、特許文献３のように光学シートと柱形突起との間に滑性シートが設けられる構成にあっては、ランプが発生した光の輝度ムラ及び輝度低下が発生し易く、また、光学シートと柱形突起との間に潤滑剤が塗布される構成にあっては、潤滑剤に塵埃が付着し易く、付着した塵埃により輝度ムラ及び輝度低下が発生し易くなる。
【００１１】
本発明は斯かる事情に鑑みてなされたものであり、主たる目的は挾持部及び柱形突起の耐熱性を犠牲にすることなく、また、滑性シート及び潤滑剤を用いることなく光学シートの微振動、熱膨張による該光学シートの擦れ、及び擦れによる軋み音の発生を抑制することができるクリップ及び光源装置を提供することにある。
【課題を解決するための手段】
【００１２】
本発明に係るクリップは、ランプを挾持する挾持部及び該挾持部と離隔した位置に前記挾持部と一体に成形されている柱形突起を備えるクリップにおいて、前記柱形突起の先端部を被覆し、且つ該柱形突起よりも軟質の被覆層を有することを特徴とする。
【００１３】
この発明にあっては、柱形突起の先端側に、該柱形突起よりも軟質の被覆層が設けられているため、光学シートの微振動、及び／又は熱膨張により光学シートの一部が被覆層と接触することがあっても、光学シートの擦れ、及び擦れによる軋み音の発生を抑制することができる。しかも、柱形突起の先端部に被覆層が設けられているため、挾持部及び柱形突起の耐熱性を確保することができる。
【００１４】
また、本発明に係るクリップは、前記被覆層は透光性を有する合成樹脂材料により成形されている構成とするのが好ましい。
この発明にあっては、ランプが発生した光が被覆層を透過するため、クリップが液晶表示装置に使用された場合、被覆層による輝度ムラの発生をなくし得る。
【００１５】
本発明に係るクリップは、前記被覆層は、前記柱形突起に外嵌されているキャップであり、該キャップ及び前記柱形突起の少なくとも一方は、前記キャップの抜出しを阻止する抜止手段を有する構成とするのが好ましい。
この発明にあっては、柱形突起にキャップを外嵌することにより被覆層を簡易に設けることができるとともに、被覆層だけを交換することができる。しかも、キャップは抜止手段により抜出しが阻止されているため、クリップが取付けられる際にキャップが脱落するのを防ぐことができ、クリップの組込作業性を高めることができる。
【００１６】
また、本発明に係るクリップは、前記抜止手段は、前記キャップの内面及び柱形突起の長手方向中途の一方に形成されている係止凹部、及び該係止凹部と係合し、他方に形成されている係止凸部である構成とするのが好ましい。
この発明にあっては、既存の柱形突起の中途に係止凹部又は係止凸部を設けることにより、キャップの抜出しを阻止することができるため、キャップの外嵌操作により該キャップの抜出しを阻止することができる。
【００１７】
また、本発明に係るクリップは、前記抜止手段は、前記柱形突起の長手方向に対して傾斜し、該柱形突起及び前記キャップの一方に形成されている傾斜溝、及び該傾斜溝と係合し、前記柱形突起及びキャップの他方に形成されている係止凸部である構成とするのが好ましい。
この発明にあっては、キャップを傾斜溝に沿って回しつつ柱形突起に押込むことにより該キャップを取付けることができ、また、キャップが柱形突起に対して回転しない限り該キャップの抜出しを阻止することができる。
【００１８】
また、本発明に係る光源装置は、並置される複数本のランプと、前述の発明のクリップと、前記ランプ及びクリップが支持される支持部材とを備えることを特徴とする。
この発明にあっては、光学シートの微振動、及び／又は熱膨張により光学シートの一部が被覆層と接触することがあっても、光学シートの擦れ、及び擦れによる軋み音の発生を抑制することができ、しかも、挾持部及び柱形突起の耐熱性を確保することができる。また、キャップは抜止手段により抜出しが阻止されているため、クリップが取付けられる際にキャップが脱落するのを防ぐことができ、クリップの組込作業性を高めることができ、クリップを備える光源装置のコストを低減できる。
【発明の効果】
【００１９】
以上詳述したように本発明によれば、柱形突起の先端部に、該柱形突起よりも軟質の被覆層が設けられているため、光学シートの微振動、及び／又は熱膨張により光学シートの一部が被覆層と接触することがあっても、光学シートの擦れ、及び擦れによる軋み音の発生を抑制することができ、しかも、挾持部及び柱形突起の耐熱性を確保することができる。
【発明を実施するための最良の形態】
【００２０】
以下本発明をその実施の形態を示す図面に基づいて詳述する。図１は本発明に係る光源装置の支持部材の構成を示す正面図、図２は光源装置の一部を拡大した正面図、図３はクリップの構成を示すもので、(a) は一部を切欠いた正面図、(b) は縦断平面図、図４はクリップの構成を示す斜視図である。
【００２１】
図１、図２に示した光源装置は、直方体をなす枠部１１及び周縁部が枠部１１に結合され、該枠部１１の後側端を閉鎖する後壁１２を有し、前側が開放されている箱形をなす支持部材１と、該支持部材１内に上下に等間隔で並置される杆状の複数のランプ２と、該ランプ２の両端部を枠部１１の内側に保持するホルダと、前記ランプ２の中途を前記後壁１２に保持する複数のクリップ３とを備え、支持部材１の内面部は、ランプ２が発光した光を支持部材１の開放部側に反射させるべき反射面になっている。
【００２２】
支持部材１の後壁１２には、図１に示すように隣合う二本のランプ２，２の間で且つランプ２の長手方向中央側に、上下に離隔して複数の係止孔１３が開設されている。係止孔１３は丸形をなしており、ランプ２の本数に対応して設けられている。
【００２３】
ランプ２は両端部に電極を有する冷陰極管であり、夫々のランプ２の電極にインバータ回路基板が接続され、パルス幅変調信号により明るさが制御されるように構成されている。
【００２４】
クリップ３は支持部材１の反射面に対向し、矩形をなす基板３１と、ランプの並置間隔と等間隔で基板３１の一面に突設され、隣合う２本のランプ２，２の長手方向中間部が嵌合挾持される二つの挾持部３２，３２と、該挾持部３２，３２の間の中央部に突設された柱形突起３３と、該柱形突起３３の先端部に取外しを可能に外嵌されているキャップ３４と、基板３１の他面に離隔して突設され、係止孔１３に挿嵌係止される二つの取付部３５，３５とを有する。尚、キャップ３４が被覆層を構成している。
【００２５】
基板３１、挾持部３２，３２、柱形突起３３及び取付部３５，３５は、耐熱性及び光反射性に優れているポリカーボネートにより一体成形されている。挾持部３２，３２はランプ２の並置方向へ離隔して対向し、ランプ２を挾持する二つの挾持片を有する。
【００２６】
柱形突起３３は略円錐形をなし、挾持部３２，３２より取付部３５，３５と反対方向へ延出されており、長手方向中途に環状の係止凸部３６が一体に設けられている。
【００２７】
取付部３５，３５は板状の突片の先端に二つの爪部を有し、爪部が係止孔１３の孔縁部に係止される。
【００２８】
キャップ３４は、透光性及び緩衝性を有し、柱形突起３３よりも軟質のシリコン樹脂により略円錐形に成形されている。キャップ３４の開放部には係止凸部３６と係合する係止凹部３７が設けられており、係止凹部３７の係止凸部３６との係合によりキャップ３４が抜出るのを阻止してある。また、キャップ３４の開放口は係止凸部３６の太さよりも小さく形成され、開放口に係止凹部３７が連なっている。キャップ３４は、柱形突起３３に外嵌される際、開放口が若干撓んで拡径し、係止凸部３６を越えつつ弾性復元して係止凹部３７が係止凸部３６と係合するように構成されている。尚、係止凸部３６及び係止凹部３７が抜止手段を構成している。
【００２９】
以上のように構成された光源装置Ａは、支持部材１の係止孔１３，１３にクリップ３の取付部３５，３５が挿嵌係止され、また、支持部材１内に複数本のランプ２が並置され、ホルダを枠部１１に取付けることによりランプ２の両端部が支持部材１内に保持されるとともに、ランプ２の中間部がクリップ３の挾持部３２，３２に挿嵌挾持される。
【００３０】
図５は光源装置を備える表示装置の構成を示す断面図、図６は表示装置の要部の構成を示す拡大断面図である。光源装置Ａは例えば液晶テレビジョン等の液晶表示装置Ｂに使用される。
【００３１】
液晶表示装置Ｂは、前側に表示面を有し略直方体をなすパネル部４と、該パネル部４の後側に配置された拡散板等の光学シート５と、該光学シート５の後側に配置された光源装置Ａと、パネル部４の周縁部及び光源装置Ａの後側を被覆するキャビネット６とを有する。光学シート５はランプ２が発生した光を拡散してパネル部４に照射するもので、光源装置Ａにおける支持部材１の開放端に周縁部が支持されており、中央部と適宜に離隔してクリップ３のキャップ３４が対向している。
【００３２】
クリップ３のキャップ３４は、柱形突起３３よりも軟質であるため、光学シート５の微振動により該光学シート５の中央部がキャップ３４の先端に接触したり、光学シート５の熱膨張により該光学シート５の中央部がキャップ３４の先端部に接触した際、光学シート５の接触部が擦れて削られるのを防ぐことができ、削られることによる輝度ムラの発生をなくし得る。また、光学シート５の熱膨張により、光学シート５の中央部がキャップ３４の先端に接触した状態でシート面に沿う方向へ擦れる際、軋み音が発生するのを防ぐことができる。しかも、クリップ３のキャップ３４は透光性を有しているため、ランプ２が発生した光がキャップ３４を透過し、光学シート５を照射することができる。因って、キャップ３４による輝度ムラをなくし得る。
【００３３】
図７は本発明に係る光源装置が備えるクリップの他の構成を示す一部を切欠いた正面図である。このクリップ３は柱形突起３３に係止凸部３６を設け、キャップ３４に係止凹部３７を設ける代わりに、柱形突起３３の長手方向中途に環状の係止凹部３７ａを設け、該係止凹部３７ａに係合する係止凸部３６ａをキャップ３４の開放口に設けたものである。
【００３４】
キャップ３４は、透光性を有し、柱形突起３３よりも軟質のシリコン樹脂により略円錐形に成形されている。キャップ３４の係止凸部３６ａは柱形突起３３の係止凹部３７ａより先側の太さよりも小さく形成されており、係止凹部３７ａの係止凸部３６ａとの係合によりキャップ３４が抜出るのを阻止してある。また、キャップ３４は、柱形突起３３に外嵌される際、係止凸部３６ａが若干撓んで拡径し、係止凹部３７ａに沿いつつ弾性復元して係止凹部３７ａと係合するように構成されている。
その他の構成及び作用は図３及び図４のクリップと同様であるため、同様の部品については同じ符号を付し、その詳細な説明及び作用効果の説明を省略する。
【００３５】
図８は本発明に係る光源装置が備えるクリップの他の構成を示す一部を切欠いた正面図である。このクリップ３は柱形突起３３及びキャップ３４の一方に環状の係止凸部３６，３６ａを設け、他方に環状の係止凹部３７，３７ａを設ける代わりに、柱形突起３３の長手方向中途に、柱形突起３３の長手方向に対して傾斜する複数の傾斜溝３８を設け、該傾斜溝３８に係合する複数の係止凸部３９をキャップ３４の内面に設けたものである。
【００３６】
傾斜溝３８は柱形突起３３の長手方向に離隔して螺旋状に形成されている。係止凸部３９は傾斜溝３８と等しい間隔で螺旋状に形成されている。
【００３７】
キャップ３４は、透光性を有し、柱形突起３３よりも軟質のシリコン樹脂により略円錐形に成形されている。
【００３８】
この実施の形態にあっては、キャップ３４の係止凸部３９を柱形突起３３の傾斜溝３８に係合させた状態でキャップ３４を回しつつ押込むことにより該キャップ３４を外嵌でき、また、係止凸部３９の傾斜溝３８との係合抵抗によりキャップ３４が長手方向へ抜出るのを防ぐことができる。この場合、キャップ３４の開放口を拡径することなく柱形突起３３に外嵌することができるため、キャップ３４を柱形突起３３よりも軟質の材料で形成する必要性はない。
その他の構成及び作用は図３及び図４のクリップと同様であるため、同様の部品については同じ符号を付し、その詳細な説明及び作用効果の説明を省略する。
【００３９】
図９は本発明に係る光源装置が備えるクリップの他の構成を示すもので、(a) はキャップを取外した状態の一部を切欠いた正面図、(b) はキャップが取付けられている状態の一部を切欠いた正面図である。このクリップ３は柱形突起３３及びキャップ３４の両方に抜止手段を設ける代わりに、柱形突起３３の長手方向中途にだけ抜止手段を設け、可撓性を有するキャップ３４の開放部の弾性復元によりキャップ３４が抜出るのを阻止するように構成したものである。
【００４０】
柱形突起３３の長手方向中途には環状の係止凹部３７ａが形成されている。キャップ３４は可撓性を有する合成樹脂により略円錐形に成形されている。また、該キャップ３４の開放部側は、柱形突起３３への外嵌時に拡径する方向へ弾性変形するように形成されている。
【００４１】
この実施の形態にあっては、柱形突起３３の先端部に嵌入されたキャップ３４の開放部を撓ませつつキャップ３４を押込むことにより該キャップ３４を外嵌でき、また、この外嵌位置でキャップ３４の開放部が弾性復元し、図９の(b) のように係止凹部３７ａと係合する。
尚、図９に示す実施の形態において、係止凹部３７ａに代えて図３、図４のような環状の係止凸部３６を柱形突起３３の長手方向中途に設け、可撓性を有するキャップ３４の開放部を拡径する方向へ弾性変形させつつ係止凸部３６に係合させるように構成してもよい。
その他の構成及び作用は図３、図４及び図７のクリップと同様であるため、同様の部品については同じ符号を付し、その詳細な説明及び作用効果の説明を省略する。
【００４２】
図１０は本発明に係る光源装置が備えるクリップの他の構成を示す一部を切欠いた正面図である。このクリップ３はキャップ３４が被覆層を構成する代わりに、挾持部３２及び取付部３５と一体にポリカーボネートにより成形されている柱形突起３３の先端部に、柱形突起３３よりも軟質のシリコン樹脂をアウトサ−ト成形（二重成形）することにより、柱形突起３３の先端部を被覆する被覆層３０を設けたものである。尚、被覆層３０は透光性及び可撓性を有するシリコン樹脂により成形されている。
【００４３】
この実施の形態にあっては、被覆層３０は柱形突起３３の先端部に成形されているため、被覆層３０を取付ける作業が必要でなく、また、被覆層３０の抜出し防止対策を施す必要もない。
その他の構成及び作用は図３及び図４のクリップと同様であるため、同様の部品については同じ符号を付し、その詳細な説明及び作用効果の説明を省略する。
【００４４】
尚、以上説明した実施の形態の図９では、柱形突起３３にだけ抜止手段としての係止凹部３７ａ又は係止凸部３６を設けたが、その他、例えば可撓性を有するキャップ３４の内面にだけ梨地等の微少の係止凸部を設け、略円錐形をなす柱形突起３３へ外嵌された際、係止凸部の柱形突起３３との係合抵抗によりキャップ３４が抜出るのを阻止するように構成してもよい。
【００４５】
また、以上説明した実施の形態では二つの挾持部３２，３２を有し、２本のランプ２，２を挾持するクリップ３について説明したが、その他、クリップ３は一つの挾持部３２及び一つの柱形突起３３を有し、１本のランプ２を挾持する構成としてもよく、また、三つ以上の挾持部３２及び少なくとも一つの柱形突起３３を有し、３本以上のランプ２を挾持する構成としてもよい。
【００４６】
また、以上説明した実施の形態では二つの取付部３５，３５を有する構成としたが、その他、取付部３５は一つであってもよく、取付部３５の個数は特に制限されない。また、柱形をなす取付部３５を有する構成としたが、その他、取付部３５は例えば磁石で支持部材１に取付ける構成としてもよく、取付部３５の構成は特に制限されない。
【００４７】
また、以上説明した実施の形態では基板３１、挾持部３２，３２、柱形突起３３及び取付部３５，３５をポリカーボネート製としたが、その他の合成樹脂材料により成形される構成としてもよい。また、キャップ３４及び被覆層３０は透光性及び可撓性を有するシリコン樹脂製としたが、その他、柱形突起３３よりも軟質の合成樹脂材料により成形される構成としてもよい。また、キャップ３４及び被覆層３０は透光性を有するのが好ましいが、その他、透光性を有しない構成であってもよい。
【図面の簡単な説明】
【００４８】
【図１】本発明に係る光源装置の支持部材の構成を示す正面図である。
【図２】本発明に係る光源装置の一部を拡大した正面図である。
【図３】本発明に係るクリップの構成を示すもので、(a) は一部を切欠いた正面図、(b) は縦断平面図である。
【図４】本発明に係るクリップの構成を示す斜視図である。
【図５】本発明に係る光源装置を備える表示装置の構成を示す断面図である。
【図６】本発明に係る表示装置の要部の構成を示す拡大断面図である。
【図７】本発明に係る光源装置が備えるクリップの他の構成を示す一部を切欠いた正面図である。
【図８】本発明に係る光源装置が備えるクリップの他の構成を示す一部を切欠いた正面図である。
【図９】本発明に係る光源装置が備えるクリップの他の構成を示すもので、(a) はキャップを取外した状態の一部を切欠いた正面図、(b) はキャップが取付けられている状態の一部を切欠いた正面図である。
【図１０】本発明に係る光源装置が備えるクリップの他の構成を示す一部を切欠いた正面図である。
【符号の説明】
【００４９】
１    支持部材
２    ランプ
３    クリップ
３０  被覆層
３２  挾持部
３３  柱形突起
３４  キャップ
３６，３６ａ，３９  係止凸部（抜止手段）
３７，３７ａ  係止凹部（抜止手段）
３８  傾斜溝（抜止手段）
【図１】
2009104999.tif 000003
【図２】
2009104999.tif 000004
【図３】
2009104999.tif 000005
【図４】
2009104999.tif 000006
【図５】
2009104999.tif 000007
【図６】
2009104999.tif 000008
【図７】
2009104999.tif 000009
【図８】
2009104999.tif 000010
【図９】
2009104999.tif 000011
【図１０】
2009104999.tif 000012